【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
特定期間において第１の条件が成立し、かつ該第１の条件が成立したことを条件に成立し得る第２の条件が成立することで遊技者にとって有利な特典を付与する特典付与手段と、
前記第１の条件が成立した場合に、該第１の条件が成立したことを示唆する第１条件示唆手段と、
前記特定期間の開始後、前記第１の条件が成立したか否かに関わらず、前記第２の条件が成立せずに所定の終了条件が成立することで前記特典付与手段が前記特典を付与することなく該特定期間を終了させる特定期間終了手段と、
前記特定期間において前記特定期間が終了する可能性を示唆する終了示唆演出を実行する終了示唆演出実行手段と、
を備え、
前記特定期間において前記所定の終了条件が成立して該特定期間が終了する場合に、前記所定の終了条件が成立せず該特定期間が終了しない場合よりも高い割合で前記終了示唆演出が実行され、
前記終了示唆演出実行手段は、前記特定期間において前記第１条件示唆手段により前記第１の条件が成立したことが示唆されるまでの期間よりも、前記第１条件示唆手段により前記第１の条件が成立したことが示唆された後の期間の方が高い割合で前記終了示唆演出を実行する
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
所定の遊技を行うことが可能な遊技機（スロットマシン１）であって、
特定期間（ミッション演出）において第１の条件（５ポイント以上）が成立し、かつ該第１の条件が成立したことを条件に成立し得る第２の条件（１０ポイント）が成立することで遊技者にとって有利な特典（ＡＴ）を付与する特典付与手段と、
前記第１の条件（５ポイント以上）が成立した場合に、該第１の条件が成立したことを示唆する第１条件示唆手段（５個以上の白円の表示）と、
前記特定期間（ミッション演出）の開始後、前記第１の条件（５ポイント以上）が成立したか否かに関わらず、前記第２の条件（１０ポイント）が成立せずに所定の終了条件（終了演出の当選）が成立することで前記特典付与手段が前記特典（ＡＴ）を付与することなく該特定期間（ミッション演出）を終了させる特定期間終了手段と、
前記特定期間（ミッション演出）において前記特定期間（ミッション演出）が終了する可能性を示唆する終了示唆演出を実行する終了示唆演出実行手段と、
を備え、
前記特定期間（ミッション演出）において前記所定の終了条件（終了演出の当選）が成立して該特定期間（ミッション演出）が終了する場合に、前記所定の終了条件（終了演出の当選）が成立せず該特定期間（ミッション演出）が終了しない場合よりも高い割合で前記終了示唆演出が実行され、
前記終了示唆演出実行手段は、前記特定期間（ミッション演出）において前記第１条件示唆手段により前記第１の条件が成立したことが示唆されるまでの期間（白円が５個以上表示されるまでの期間）よりも、前記第１条件示唆手段により前記第１の条件が成立したことが示唆された後の期間（白円が５個以上表示された後の期間）の方が高い割合で前記終了示唆演出を実行する
ことを特徴としている。
この特徴によれば、特定期間において第１条件示唆手段により第１の条件が成立したことが示唆された後の期間、すなわち第１条件示唆手段により第１の条件が成立したことが示唆されるまでの期間よりも特典の付与が期待できる状況であり、かつ第１条件示唆手段により第１の条件が成立したことが示唆されるまでの期間よりも特定期間が終了して欲しくない状況において、特定期間が終了する可能性を示唆する終了示唆演出が実行されやすくなるので、特典が付与される第２の条件が成立する可能性の高い状況において第２の条件が成立せずに特定期間が終了してしまうかもしれないという緊張感を高めることにより、特定期間の興趣を効果的に高めることができる。
尚、遊技者にとって有利な特典とは、遊技者にとって有利な遊技状態へ移行させることが可能となる権利（有利な遊技状態を発生するか否かを決定する抽選に当選すること、有利な遊技状態へ移行する入賞が許容されることなど）、遊技者にとって有利な表示結果を導出させるための操作態様が報知される権利、遊技用価値が付与される期待値が高い遊技状態に制御される権利、現在の遊技状態が遊技者にとって有利な遊技状態か否かが報知される権利など、遊技者にとって直接的な有利な特典であっても良いし、遊技者にとって直接的に有利ではないが、例えば、インターネット上で特典を得るための条件となる等、遊技者にとって間接的に有利な特典であっても良い。
また、特典付与手段は、少なくとも特定期間に第１の条件が成立し、かつ該第１の条件が成立したことを条件に成立し得る第２の条件が成立することで特典を付与する構成であれば良く、第１の条件が成立し、かつ該第１の条件が成立したことを条件に成立し得る第２の条件が成立した場合以外の条件の成立により特典が付与される構成でも良い。
また、第１の条件が成立し、かつ該第１の条件が成立したことを条件に成立し得る第２の条件が成立するとは、例えば、第１の条件の成立後、第２の条件として該第１の条件とは異なる条件が成立することでも良いし、第１の条件の成立後、第２の条件として該第１の条件と同じ条件が成立することでも良い。尚、後者の場合には、第１の条件は、第１の条件が成立せずに成立するのに対して、第２の条件は、第１の条件が成立していることを条件に成立する点で異なる。
また、第１条件示唆手段は、前記第１の条件が成立した場合に、１００％の割合で該第１の条件が成立したことを示唆するものでも良いし、１００％未満の割合で第１の条件が成立したことを示唆するものでも良い。
また、特定期間が終了することとなる所定の終了条件は、終了抽選に当選すること、所定の事象（入賞、当り）が発生すること、所定の事象の発生を許容する旨が決定されること、所定の事象が発生した回数が所定回数に到達すること、所定の事象の発生を許容する旨が決定された回数が所定回数に到達すること、１単位の遊技（１ゲーム、１回の変動）が所定回数行われること、これらの組み合わせなどが該当する。
また、終了示唆演出実行手段は、前記所定の終了条件が成立して該特定期間が終了する場合に、前記所定の終了条件が成立せず該特定期間が終了しない場合よりも高い割合で前記終了示唆演出を実行する構成であれば良く、前記所定の終了条件が成立して該特定期間が終了する場合に１００％の割合で前記終了示唆演出を実行する構成でも良い。
また、終了示唆演出実行手段は、前記所定の終了条件が成立していない状況または前記所定の終了条件が成立している状況のうち少なくとも一方の状況において、前記特定期間において前記第１条件示唆手段により前記第１の条件が成立したことが示唆されるまでの期間よりも、前記第１条件示唆手段により前記第１の条件が成立したことが示唆された後の期間の方が高い割合で前記終了示唆演出を実行する構成であれば良い。
また、終了示唆演出実行手段は、前記特定期間において前記第１条件示唆手段により前記第１の条件が成立したことが示唆されるまでの期間であるか、前記第１条件示唆手段により前記第１の条件が成立したことが示唆された後の期間であるか、以外の他の状況が同じ場合に、前記特定期間において前記第１条件示唆手段により前記第１の条件が成立したことが示唆されるまでの期間よりも、前記第１条件示唆手段により前記第１の条件が成立したことが示唆された後の期間の方が高い割合で前記終了示唆演出を実行する構成であることが好ましく、このような構成とすることで、前記特定期間において前記第１条件示唆手段により前記第１の条件が成立したことが示唆されるまでの期間であるか、前記第１条件示唆手段により前記第１の条件が成立したことが示唆された後の期間であるか、以外の他の状況に関わらず、特典が付与される条件が成立する可能性の高い状況において第２の条件が成立せずに特定期間が終了してしまうかもしれないという緊張感を確実に高めることができる。